(57)【特許請求の範囲】
【請求項１】
互いに対向する第１面と第２面とを有する直方体形状であり、前記第１面から前記第２面に亘る貫通孔を有する誘電体ブロックと、
前記誘電体ブロックの外面に形成された外部導体と、
前記貫通孔の壁面に形成された壁面導体と
を備え、
前記壁面導体は、前記貫通孔の前記第１面側の端部を含む第１部分と、前記貫通孔の前記第２面側の端部を含む第２部分と、を備え、
前記第１部分と前記第２部分との間は、電気的に分離されている、
誘電体共振器。
【請求項２】
請求項１に記載の誘電体共振器を含む複数の誘電体共振器を備え、
前記複数の誘電体共振器が結合した誘電体フィルタ。
【請求項３】
請求項１に記載の誘電体共振器の構成をそれぞれに備える第１の誘電体共振器と第２の誘電体共振器と、を備え、
前記第１の誘電体共振器における前記第１部分と前記第２部分との離間距離と、前記第２の誘電体共振器における前記第１部分と前記第２部分との離間距離とは、異なる、
請求項２に記載の誘電体フィルタ。
【請求項４】
前記複数の誘電体共振器の全ては、請求項１に記載の誘電体共振器の構成をそれぞれに備え、
前記複数の誘電体共振器における前記第１部分と前記第２部分との離間距離のそれぞれは、互いに異なる、
請求項３に記載の誘電体フィルタ。
【発明の詳細な説明】
【技術分野】
【０００１】
本発明は、ＴＥモード共振を用いた誘電体共振器、および、該誘電体共振器を複数結合してなる誘電体フィルタに関する。
【背景技術】
【０００２】
特許文献１には、ＴＥモード共振を用いた誘電体フィルタが記載されている。特許文献１に記載の誘電体フィルタは、複数の誘電体共振器を備える。【０００３】
誘電体共振器は、誘電体ブロック、および外部導体を備える。誘電体ブロックは、直方体形状である。外部導体は、誘電体ブロックの略全面に形成されている。誘電体共振器の共振周波数は、誘電体ブロックの比誘電率、および外形寸法によって決定される。【０００４】
したがって、複数の誘電体共振器の共振周波数を異ならせるには、各誘電体ブロックを同じ材料（同じ比誘電率の材料）で形成する場合、外形寸法を異ならせる必要がある。
【先行技術文献】
【特許文献】
【０００５】
【特許文献１】特許第３８５２５９８号明細書
【発明の概要】
【発明が解決しようとする課題】
【０００６】
しかしながら、複数の誘電体共振器毎に誘電体ブロックの外形寸法を異ならせた場合、誘電体フィルタとして必要な特性に応じて、誘電体フィルタの外形寸法、すなわち、製品の外形寸法が異なってしまう。言い換えれば、同じ外形寸法を維持したまま、異なるフィルタ特性を有する誘電体フィルタを製造することができないので、新たに外形寸法の異なる誘電体ブロックを作り直す必要があり、手間がかかってしまう。【０００７】
したがって、本発明の目的は、ＴＥモード共振を利用しながら、外形寸法を変化させずに、共振周波数を調整可能な誘電体共振器を提供することにある。
【課題を解決するための手段】
【０００８】
この発明の誘電体共振器は、誘電体ブロック、外部導体、および、壁面導体を備える。誘電体ブロックは、互いに対向する第１面と第２面とを有する直方体形状である。誘電体ブロックは、第１面から第２面に亘る貫通孔を有する。外部導体は、誘電体ブロックの外面に形成されている。壁面導体は、貫通孔の壁面に形成されている。壁面導体は、貫通孔の第１面側の端部を含む第１部分と、貫通孔の第２面側の端部を含む第２部分と、を備える。第１部分と第２部分との間は、電気的に分離されている。【０００９】
この構成では、誘電体ブロック内に、壁面導体の第１部分と第２部分との離間距離に応じた共振周波数のＴＥモード共振が生じる。したがって、この離間距離を調整することによって、共振周波数が調整される。【００１０】
また、この発明の誘電体フィルタは、上述の貫通孔の壁面導体に離間部を有する誘電体共振器を含んで、複数の誘電体共振器を備えており、複数の誘電体共振器は、結合している。【００１１】
この構成では、上述の誘電体共振器を備えることによって、ＴＥモード共振を用いた誘電体共振器の部分の外形寸法を変化させることなく、誘電体フィルタのフィルタ特性が調整される。【００１２】
また、この発明の誘電体フィルタでは、次の構成であることが好ましい。誘電体フィルタは、第１誘電体共振器と第２誘電体共振器とを備える。第１誘電体共振器と第２誘電体共振器とは、上述の貫通孔の壁面導体に離間部を有する誘電体共振器の構成をそれぞれに備える。第１誘電体共振器における第１部分と第２部分との離間距離と、第２誘電体共振器における第１部分と第２部分との離間距離とは、異なる。【００１３】
この構成では、第１誘電体共振器の外形寸法と第２誘電体共振器の外形寸法とが同じでありながら、第１誘電体共振器の共振周波数と第２誘電体共振器の共振周波数とが異なる。これにより、共振周波数が異なる２つの誘電体共振器を結合させた誘電体フィルタの形状が簡素化され、製造が容易になる。【００１４】
また、この発明の誘電体フィルタでは、次の構成であってもよい。複数の誘電体共振器の全ては、上述の貫通孔の壁面導体に離間部を有する誘電体共振器の構成をそれぞれに備える。複数の誘電体共振器における第１部分と第２部分との離間距離のそれぞれは、互いに異なる。【００１５】
この構成では、誘電体フィルタを構成する全ての誘電体共振器の外形寸法が同じでありながら、各誘電体共振器の共振周波数が異ならせられる。これにより、共振周波数が異なる複数の誘電体共振器を結合させた誘電体フィルタの形状が簡素化され、製造が容易になる。
【発明の効果】
【００１６】
この発明によれば、ＴＥモード共振を利用しながら、外形寸法を変化させずに、共振周波数を調整できる。
【図面の簡単な説明】
【００１７】
【図１】（Ａ）は本発明の第１の実施形態に係る誘電体共振器の外観斜視図であり、（Ｂ）は本発明の第１の実施形態に係る誘電体共振器の構成を示す断面図である。
【図２】本発明の第１の実施形態に係る誘電体共振器の共振周波数の変化を示すグラフである。
【図３】（Ａ）は本発明の第１の実施形態に係る誘電体フィルタの平面図であり、（Ｂ）は本発明の第１の実施形態に係る誘電体フィルタの側面断面図である。
【図４】本発明の第１の実施形態に係る誘電体フィルタの外観斜視図である。
【図５】本発明の第２の実施形態に係る誘電体フィルタの構成を示す斜視図である。
【図６】本発明の第３の実施形態に係る誘電体フィルタの構成を示す斜視図である。
【図７】本発明の第４の実施形態に係る誘電体フィルタの構成を示す斜視図である。
【図８】本発明の第５の実施形態に係る誘電体フィルタの外観斜視図である。
【図９】本発明の第５の実施形態に係る誘電体フィルタのＳ１１特性およびＳ２１特性を示す図である。
【発明を実施するための形態】
【００１８】
本発明の第１の実施形態に係る誘電体共振器および誘電体フィルタについて、図を参照して説明する。図１（Ａ）は、本発明の第１の実施形態に係る誘電体共振器の外観斜視図である。図１（Ｂ）は、本発明の第１の実施形態に係る誘電体共振器の構成を示す断面図である。なお、図１（Ｂ）では、外部導体、壁面導体の厚みを強調して記載している。
【００１９】
図１（Ａ）、図１（Ｂ）に示すように、誘電体共振器１０は、誘電体ブロック２０、外部導体３０、および、壁面導体４１、４２を備える。
【００２０】
誘電体ブロック２０は、誘電体セラミック等によって形成されている。誘電体ブロック２０の比誘電率は高く、例えば、４０〜５０程度である。
【００２１】
誘電体ブロック２０は、直方体形状であり、互いに対向する第１面２０１と第２面２０２とを備える。誘電体ブロック２０の外形寸法は、Ｌ１、Ｌ２、Ｄである。Ｌ１は、第１面２０１および第２面２０２の寸法を規定する第１方向の長さである。Ｌ２は、第１面２０１および第２面２０２の寸法を規定する第２方向の長さであり、第１方向に直交する方向の長さである。Ｄは、第１面２０１と第２面２０２との距離を規定する第３方向の長さであり、第１方向と第２方向とに直交する方向の長さである。第１方向の長さＬ１と第２方向の長さＬ２は等しい。ここで、長さが等しいとは、製造誤差の範囲無いで略等しいことも含む。第３方向の長さＤは、第１方向の長さＬ１および第２方向の長さＬ２よりも短い。
【００２２】
誘電体ブロック２０には、貫通孔２１が形成されている。貫通孔２１は、第１面２０１から第２面２０２まで誘電体ブロック２０を貫通する孔である。貫通孔２１は、第１面２０１および第２面２０２に直交する方向に視て、円形である。貫通孔２１の貫通方向の軸は、第１面２０１および第２面２０２に直交する（第３方向に平行である）。
【００２３】
外部導体３０は、誘電体ブロック２０の外面の全面に形成されている。誘電体ブロック２０の外面は、第１面２０１と、第２面２０２と、第１面２０１と第２面２０２とを接続する四面とから構成される。外部導体３０は、導電性が高い材料、例えば、銀（Ａｇ）等の金属からなる。
【００２４】
壁面導体４１は、貫通孔２１の壁面２２における第１面２０１側の端部に形成されている。壁面導体４１は、貫通孔２１の第１面２０１側の端部において、外部導体３０に接続されている。壁面導体４１は、貫通孔２１の壁面２２の全周に亘る形状である。壁面導体４１は、貫通孔２１の第１面２０１側の端部から、貫通孔２１の軸方向に沿って所定の長さで形成されている。壁面導体４１が、本発明の壁面導体の「第１部分」に対応する。壁面導体４１は、導電性が高い材料、例えば、銀（Ａｇ）等の金属からなり、外部導体３０と同じ材料であることが好ましい。
【００２５】
壁面導体４２は、貫通孔２１の壁面２２における第２面２０２側の端部に形成されている。壁面導体４２は、貫通孔２１の第２面２０２側の端部において、外部導体３０に接続されている。壁面導体４２は、貫通孔２１の壁面２２の全周に亘る形状である。壁面導体４２は、貫通孔２１の第２面２０２側の端部から、貫通孔２１の軸方向に沿って所定の長さで形成されている。壁面導体４２が、本発明の壁面導体の「第２部分」に対応する。壁面導体４２は、導電性が高い材料、例えば、銀（Ａｇ）等の金属からなり、外部導体３０と同じ材料であることが好ましい。
【００２６】
壁面導体４１と壁面導体４２とは、貫通孔２１の壁面２２において、貫通孔２１の軸方向に沿って電気的に分離されている。すなわち、壁面導体４１と壁面導体４２との間に、導体は形成されていない。この壁面導体４１と壁面導体４２との離間距離が、本発明の「離間距離」に対応する。
【００２７】
このような構成からなる誘電体共振器１０は、ＴＥモード共振を生じる。ＴＥモード共振の共振周波数ｆ０は、誘電体ブロック２０の外形寸法（Ｌ１、Ｌ２、Ｄ）、貫通孔２１の径φ、誘電体ブロック２０の比誘電率εｒ、および、壁面導体４１、４２の形状によって決定される。そして、壁面導体４１と壁面導体４２との離間距離を変化させることによって、共振周波数ｆ０を変化させることができる。
【００２８】
図２は、本発明の第１の実施形態に係る誘電体共振器の共振周波数の変化を示すグラフである。図２は、Ｌ１＝Ｌ２＝９．５［ｍｍ］、Ｄ＝５．０［ｍｍ］、φ＝、２．６［ｍｍ］、εｒ＝４７の場合を示している。図２は、壁面導体４１と壁面導体４２との離間距離Ｈを変化させた場合の共振周波数ｆ０の変化を示している。
【００２９】
図２に示すように、共振周波数ｆ０は、離間距離Ｈに応じて変化する。具体的には、離間距離Ｈが長くなるのにしたがって、共振周波数ｆ０は高くなる。
【００３０】
このように、本実施形態に係る誘電体共振器１０は、誘電体ブロック２０の外形寸法、誘電体ブロック２０の材料、および貫通孔２１の形状を変化させることなく、貫通孔２１の壁面導体４１と壁面導体４２との離間距離を変化させるだけで、異なる共振周波数ｆ０を実現できる。言い換えれば、誘電体共振器１０は、ＴＥモード共振を利用しながら、外形寸法を変化させずに、共振周波数ｆ０を調整できる。
【００３１】
このような構成の誘電体共振器１０は、次に示すように、誘電体フィルタに利用できる。
【００３２】
図３（Ａ）は、本発明の第１の実施形態に係る誘電体フィルタの平面図である。図３（Ｂ）は、本発明の第１の実施形態に係る誘電体フィルタの側面断面図である。図４は、本発明の第１の実施形態に係る誘電体フィルタの外観斜視図である。
【００３３】
図３（Ａ）、図３（Ｂ）に示すように、誘電体フィルタ１は、複数の誘電体共振器１０Ａ、１０Ｂ、１０Ｃを備える。複数の誘電体共振器１０Ａ、１０Ｂ、１０Ｃは、基本構造において、第１の実施形態に係る誘電体共振器１０と同じであり、離間距離において異なる。複数の誘電体共振器１０Ａ、１０Ｂ、１０Ｃが、それぞれ、本発明の「第１の誘電体共振器」または「第２の誘電体共振器」に対応する。
【００３４】
誘電体共振器１０Ａにおける壁面導体４１Ａと壁面導体４２Ａとの離間距離Ｈ１と、誘電体共振器１０Ｂにおける壁面導体４１Ｂと壁面導体４２Ｂとの離間距離Ｈ２と、誘電体共振器１０Ｃにおける壁面導体４１Ｃと壁面導体４２Ｃとの離間距離Ｈ３とは、互いに異なる。これにより、誘電体共振器１０Ａの共振周波数ｆ０Ａと、誘電体共振器１０Ｂの共振周波数ｆ０Ｂと、誘電体共振器１０Ｃの共振周波数ｆ０Ｃとは、異なる。
【００３５】
誘電体共振器１０Ａと誘電体共振器１０Ｂとは当接している。当接面は、誘電体共振器１０Ａ，１０Ｂのそれぞれにおいて、第１面および第２面に直交する側面である。当接面の外部導体３０Ａ、外部導体３０Ｂには、結合窓５１が形成されている。結合窓５１は、外部導体３０Ａ、３０Ｂが形成されていない部分である。結合窓５１は、誘電体ブロック２０Ａ、２０Ｂにおける当該結合窓５１が形成される面を平面視して、矩形である。
【００３６】
誘電体共振器１０Ｂと誘電体共振器１０Ｃとは当接している。当接面は、誘電体共振器１０Ｂ，１０Ｃのそれぞれにおいて、第１面および第２面に直交する側面である。当接面の外部導体３０Ｂ、外部導体３０Ｃには、結合窓５２が形成されている。結合窓５２は、外部導体３０Ｂ、３０Ｃが形成されていない部分である。結合窓５２は、誘電体ブロック２０Ｂ、２０Ｃにおける当該結合窓５２が形成される面を平面視して、矩形である。
【００３７】
誘電体共振器１０Ａにおける結合窓５１の形成面と対向する面には、外部結合用導体６１が形成されている。外部結合用導体６１は、所定の幅を有する帯状の導体である。外部結合用導体６１の一部は、第２面まで延びて形成されている。外部結合用導体６１は、導体非形成部３０１によって、外部導体３０Ａから離間している。
【００３８】
誘電体共振器１０Ａにおける結合窓５１の形成面と対向する面には、外部結合用導体６１が形成されている。外部結合用導体６１は、所定の幅を有する帯状の導体である。外部結合用導体６１の一部は、誘電体ブロック２０Ａの第２面まで延びて形成されている。外部結合用導体６１は、導体非形成部６０１によって、外部導体３０Ａから離間している。この構成により、誘電体フィルタ１は、誘電体共振器１０Ａ側に第１の外部結合端子を備える。
【００３９】
誘電体共振器１０Ｃにおける結合窓５２の形成面と対向する面には、外部結合用導体６２が形成されている。外部結合用導体６１は、所定の幅を有する帯状の導体である。外部結合用導体６２の一部は、誘電体ブロック２０Ｃの第２面まで延びて形成されている。外部結合用導体６２は、導体非形成部６０２によって、外部導体３０Ｃから離間している。この構成により、誘電体フィルタ１は、誘電体共振器１０Ｃ側に第２の外部結合端子を備える。
【００４０】
このような構成では、誘電体フィルタ１のフィルタ特性は、複数の誘電体共振器１０Ａ、１０Ｂ、１０Ｃの共振周波数によって決定される。したがって、複数の誘電体共振器１０Ａ、１０Ｂ、１０Ｃの共振周波数を個別に調整できることによって、誘電体フィルタ１のフィルタ特性を調整し易い。これにより、所望のフィルタ特性からなる誘電体フィルタ１を容易に実現することができる。
【００４１】
この際、複数の誘電体共振器１０Ａ、１０Ｂ、１０Ｃの共振周波数が異なっていても、これら複数の誘電体共振器１０Ａ、１０Ｂ、１０Ｃの外形形状は同じである。したがって、離間距離Ｈ１、Ｈ２、Ｈ３の長さの調整を除き、同じ工程によって、複数の誘電体共振器１０Ａ、１０Ｂ、１０Ｃを形成できる。このため、所望のフィルタ特性からなる誘電体フィルタ１を容易に製造できる。
【００４２】
また、複数の誘電体共振器１０Ａ、１０Ｂ、１０Ｃは、ＴＥモードの共振器であるので、他のモードの共振器と比較して、Ｑ０の向上が図りやすく、通過域において低損失なフィルタ特性を容易に実現できる。
【００４３】
次に、本発明の第２の実施形態に係る誘電体フィルタについて、図を参照して説明する。図５は、本発明の第２の実施形態に係る誘電体フィルタの構成を示す斜視図である。図５では、特徴を分かり易くするために、各誘電体共振器の第２面の部分にのみハッチング等を行っている。
【００４４】
本実施形態に係る誘電体フィルタ１Ａは、第１の実施形態に係る誘電体フィルタ１に対して、外部結合端子の形成位置および形状において異なる。誘電体フィルタ１Ａの他の構成は、第１の実施形態に係る誘電体フィルタ１と同じであり、同じ箇所の説明は省略する。
【００４５】
外部結合用導体６１Ａは、誘電体共振器１０Ａの誘電体ブロック２０Ａにおける第２面（貫通孔２１Ａの一方の開口を有する面）に形成されている。外部結合用導体６１Ａは、貫通孔２１Ａの開口に合わせた同心円状であり、壁面導体４２Ａに接続されている。外部結合用導体６１Ａは、導体非形成部６０１Ａによって、外部導体３０Ａから離間している。
【００４６】
外部結合用導体６２Ａは、誘電体共振器１０Ｃの誘電体ブロック２０Ｃにおける第２面（貫通孔２１Ｃの一方の開口を有する面）に形成されている。外部結合用導体６２Ａは、貫通孔２１Ｃの開口に合わせた同心円状であり、壁面導体４２Ｃに接続されている。外部結合用導体６２Ａは、導体非形成部６０２Ａによって、外部導体３０Ａから離間している。
【００４７】
このような構成であっても、誘電体フィルタ１Ａは、第１の実施形態に係る誘電体フィルタ１と同様の作用効果を奏することができる。
【００４８】
次に、本発明の第３の実施形態に係る誘電体フィルタについて、図を参照して説明する。図６は、本発明の第３の実施形態に係る誘電体フィルタの構成を示す斜視図である。
【００４９】
本実施形態に係る誘電体フィルタ１Ｂは、第１の実施形態に係る誘電体フィルタ１に対して、外部結合端子の形成位置および形状において異なる。誘電体フィルタ１Ａの他の構成は、第１の実施形態に係る誘電体フィルタ１と同じであり、同じ箇所の説明は省略する。
【００５０】
誘電体共振器１０Ａにおける誘電体共振器１０Ｂと当接側と反対側の角部には、Ｙ字形状の導体非形成部６０１Ｂが形成されている。これにより、誘電体フィルタ１Ｂにおける誘電体共振器１０Ａ側の外部結合端子が形成される。
【００５１】
誘電体共振器１０Ｃにおける誘電体共振器１０Ｂと当接側と反対側の角部には、Ｙ字形状の導体非形成部６０２Ｂが形成されている。これにより、誘電体フィルタ１Ｂにおける誘電体共振器１０Ｃ側の外部結合端子が形成される。
【００５２】
このような構成であっても、誘電体フィルタ１Ｂは、第１の実施形態に係る誘電体フィルタ１と同様の作用効果を奏することができる。
【００５３】
次に、本発明の第４の実施形態に係る誘電体フィルタについて、図を参照して説明する。図７は、本発明の第４の実施形態に係る誘電体フィルタの構成を示す斜視図である。
【００５４】
本実施形態に係る誘電体フィルタ１Ｃは、第２の実施形態に係る誘電体フィルタ１Ａに対して、結合する誘電体共振器の数および結合の構成において異なる。誘電体フィルタ１Ｃを構成する複数の誘電体共振器１０Ａ，１０Ｂ，１０Ｃ，１０Ｄ，１０Ｅ，１０Ｆの基本構成は、第１の実施形態に係る誘電体共振器１０と同じである。
【００５５】
複数の誘電体共振器１０Ａ，１０Ｂ，１０Ｃ，１０Ｄ，１０Ｅ，１０Ｆでは、上述の各実施形態に示すように、貫通孔の両端に形成された２つの壁面導体間の距離が、それぞれに適宜調整されている。
【００５６】
誘電体共振器１０Ａ、１０Ｂ、１０Ｃは、この順に並んでいる。誘電体共振器１０Ｄ、１０Ｅ、１０Ｆは、この順で並んでいる。誘電体共振器１０Ａ、１０Ｆは、誘電体共振器１０Ａ、１０Ｂ、１０Ｃの並ぶ方向に対して直交する方向に並んでいる。誘電体共振器１０Ｂ、１０Ｅは誘電体共振器１０Ａ、１０Ｂ、１０Ｃの並ぶ方向に対して直交する方向に並んでいる。誘電体共振器１０Ｃ、１０Ｄは誘電体共振器１０Ａ、１０Ｂ、１０Ｃの並ぶ方向に対して直交する方向に並んでいる。
【００５７】
誘電体共振器１０Ａは、誘電体共振器１０Ｂ、１０Ｆに当接している。誘電体共振器１０Ｂは、誘電体共振器１０Ａ、１０Ｃ、１０Ｅに当接している。誘電体共振器１０Ｃは、誘電体共振器１０Ｂ、１０Ｄに当接している。誘電体共振器１０Ｄは、誘電体共振器１０Ｃ、１０Ｅに当接している。誘電体共振器１０Ｅは、誘電体共振器１０Ｂ、１０Ｄ、１０Ｆに当接している。誘電体共振器１０Ｆは、誘電体共振器１０Ａ、１０Ｅに当接している。
【００５８】
誘電体共振器１０Ａと誘電体共振器１０Ｂとは、結合窓５１Ｃによって結合している。誘電体共振器１０Ｂと誘電体共振器１０Ｃとは、結合窓５２Ｃによって結合している。誘電体共振器１０Ｃと誘電体共振器１０Ｄとは、結合窓５３Ｃによって結合している。誘電体共振器１０Ｄと誘電体共振器１０Ｅとは、結合窓５４Ｃによって結合している。誘電体共振器１０Ｅと誘電体共振器１０Ｆとは、結合窓５５Ｃによって結合している。誘電体共振器１０Ｂと誘電体共振器１０Ｅとは、飛び結合用の結合窓７１によって結合している。
【００５９】
このような構成とすることによって、誘電体フィルタ１Ｃは、誘電体共振器１０Ｂから、誘電体共振器１０Ｃ、１０Ｄを介して誘電体共振器１０Ｅに接続される経路だけでなく、飛び結合用の結合窓７１によって、誘電体共振器１０Ｂから誘電体共振器１０Ｅに直接接続される経路を有する。これにより、誘電体フィルタ１Ｃは、飛び結合用の結合窓７１を有さない構成と比較して、より多様なフィルタ特性を実現できる。
【００６０】
なお、本実施形態では、２つの誘電体共振器を介さずに、第１の誘電体共振器である誘電体共振器１０Ｂと第２の誘電体共振器である誘電体共振器１０Ｅとが結合する態様を示した。しかしながら、少なくとも１つの誘電体共振器を介さずに、第１の誘電体共振器と第２の誘電体共振器とが結合する態様であればよい。
【００６１】
次に、本発明の第５の実施形態に係る誘電体フィルタについて、図を参照して説明する。図８は、本発明の第５の実施形態に係る誘電体フィルタの外観斜視図である。
【００６２】
本実施形態に係る誘電体フィルタ１Ｄは、ＴＥモード共振を発生する誘電体共振器１０、ＴＥＭモード共振を発生する複数の誘電体共振器８１、８２を備える。
【００６３】
誘電体共振器１０は、第１の実施形態に係る誘電体共振器１０と同じである。したがって、説明は省略する。
【００６４】
誘電体共振器８１は、誘電体ブロック８１１、および外導体８１２を備える。誘電体ブロック８１１は、直方体形状である。誘電体ブロック８１１には、貫通孔８１３が形成されている。貫通孔８１３の壁面には、内導体８１４が形成されている。外導体８１２は、誘電体ブロック８１１における貫通孔８１３の開口面の除く面の全面に形成されている。この構成により、誘電体共振器８１は、形状および比誘電率に応じたＴＥＭモード共振を発生する。
【００６５】
誘電体共振器８２は、誘電体ブロック８２１、および外導体８２２を備える。誘電体ブロック８２１は、直方体形状である。誘電体ブロック８２１には、貫通孔８２３が形成されている。貫通孔８２３の壁面には、内導体８２４が形成されている。外導体８２２は、誘電体ブロック８２１における貫通孔８２３の開口面の除く面の全面に形成されている。この構成により、誘電体共振器８２は、形状および比誘電率に応じたＴＥＭモード共振を発生する。
【００６６】
誘電体共振器８１と誘電体共振器１０とは、貫通孔の開口面と異なる一面で当接している。この当接面には、結合窓５１Ｄが形成されている。結合窓５１Ｄは、誘電体共振器８１の外導体８１２および誘電体共振器１０の外部導体３０における導体の非形成部によって実現されている。
【００６７】
誘電体共振器８２と誘電体共振器１０とは、貫通孔の開口面と異なる一面で当接している。この当接面には、結合窓５２Ｄが形成されている。結合窓５２Ｄは、誘電体共振器８２の外導体８２２および誘電体共振器１０の外部導体３０における導体の非形成部によって実現されている。
【００６８】
このように、誘電体フィルタ１Ｄは、ＴＥモード共振の誘電体共振器１０と、ＴＥＭモード共振の誘電体共振器８１、８２が結合した構成からなる。
【００６９】
図９は、本発明の第５の実施形態に係る誘電体フィルタのＳ１１特性およびＳ２１特性を示す図である。図９に示すように、誘電体フィルタ１Ｄは、ＴＥモード共振の誘電体共振器１０とＴＥＭモード共振の誘電体共振器８１、８２とを組み合わせることによって、通過帯域にて低損失な伝送を実現でき、減衰域にて大きな減衰を実現できる。具体的には、高調波領域での減衰量の低下等を抑制できる。
【００７０】
この際、誘電体共振器１０の離間距離Ｈを適宜調整することによって、図９に示すようなフィルタ特性を確実且つ正確に実現できる。また、更なるフィルタ特性の調整も容易に行える。
【符号の説明】
【００７１】
１、１Ａ、１Ｂ、１Ｃ、１Ｄ：誘電体フィルタ
１０Ａ，１０Ｂ，１０Ｃ，１０Ｄ，１０Ｅ，１０Ｆ：誘電体共振器
２０、２０Ａ、２０Ｂ、２０Ｃ：誘電体ブロック
２１、２１Ａ、２１Ｃ：貫通孔
２２：壁面
３０、３０Ａ、３０Ｃ：外部導体
４１，４２、４１Ａ、４１Ｂ、４１Ｃ、４２Ａ、４２Ｂ、４２Ｃ：壁面導体
５１、５１Ｃ、５１Ｄ、５２、５２Ｃ、５２Ｄ、５３Ｃ、５４Ｃ、５５Ｃ：結合窓
６１、６１Ａ、６２、６２Ａ：外部結合用導体
７１：結合窓
８１、８２：誘電体共振器
２０１：第１面
２０２：第２面
３０１、６０１、６０１Ａ、６０１Ｂ、６０２、６０２Ａ、６０２Ｂ：導体非形成部
８１１、８２１：誘電体ブロック
８１２、８２２：外導体
８１３、８２３：貫通孔
８１４、８２４：内導体
【図１】
0006583554.tif 000002
【図２】
0006583554.tif 000003
【図３】
0006583554.tif 000004
【図４】
0006583554.tif 000005
【図５】
0006583554.tif 000006
【図６】
0006583554.tif 000007
【図７】
0006583554.tif 000008
【図８】
0006583554.tif 000009
【図９】
0006583554.tif 000010